(57)【要約】【課題】ユーザが視聴したい複数の番組が同じ時間帯に重なってしまった場合に、裏番組のシーン重要度に応じて、ユーザに選局を促し、容易な操作で表番組、裏番組の切換を行える放送受信装置を提供する。【解決手段】裏番組解析部５で裏番組の映像情報と音声情報からシーン重要度を解析し、重要度が高い場合には、裏番組をマルチ画面表示又は音声出力によりユーザに通知して表番組・裏番組の切換を促す。裏番組の情報を通知する際に、裏番組のマルチ画面表示と同時に画面上に、裏番組切換を容易に行うことができるキーガイダンスを表示する。【選択図】図１
2008124881.tif 000002
【特許請求の範囲】
【請求項１】
放送波を受信して複数の番組の映像および音声を、同時に再生可能な放送受信装置であって、
受信した放送波から番組を選局する複数のチューナと、
前記各チューナで選局された番組を、映像情報、音声情報および付加情報に分離するために各チューナ毎に設けられたデマルチプレクサと、
前記デマルチプレクサで分離された情報を、表番組と裏番組に切換える番組切換部と、
前記番組切換部で表番組として選択された前記デマルチプレクサからの前記表番組の映像情報と前記音声情報とをデコードして再生制御を行う表番組再生制御部と、
前記番組切換部で裏番組として選択された前記デマルチプレクサからの前記裏番組の映像情報と前記音声情報とを解析する裏番組解析部と、
前記裏番組解析部で解析された前記裏番組の映像情報と前記音声情報とをデコードして再生制御を行う裏番組再生制御部と、
前記表番組再生制御部と前記裏番組再生制御部によりデコードされた前記映像情報および音声情報を合成する合成処理部と、
前記合成処理部で合成された映像を表示するディスプレイと、
前記合成処理部で合成された音声を出力するスピーカと、
を備えてなることを特徴とする放送受信装置。
【請求項２】
前記裏番組解析部は、前記裏番組の映像情報からシーンの特徴抽出を行い、重要シーンを判断することを特徴とする請求項１に記載の放送受信装置。
【請求項３】
前記裏番組解析部は、前記裏番組の音声情報からシーンの特徴抽出を行い、重要シーンを判断することを特徴とする請求項１に記載の放送受信装置。
【請求項４】
前記合成処理部は、前記表番組再生制御部から入力された映像情報と前記裏番組再生制御部から入力された映像情報とを合成し、前記裏番組の映像情報をマルチ画面表示としてディスプレイに表示することを特徴とする請求項１に記載の放送受信装置。
【請求項５】
前記裏番組再生制御部は、リモコンガイド情報を前記合成処理部に出力するためのリモコンガイド制御部を備えることを特徴とする請求項１に記載の放送受信装置。
【請求項６】
前記表番組の映像情報を解析して前記裏番組のマルチ画面表示により前記表番組の視聴を妨げない位置に、前記マルチ画面の出力位置を決定する表番組解析部を備えることを特徴とする請求項４に記載の放送受信装置。
【発明の詳細な説明】
【技術分野】
【０００１】
本発明は、放送受信装置に係り、特に、ユーザが視聴したい複数の番組が同じ時間帯に重なってしまった場合に、視聴中の番組以外の番組の情報をユーザに通知し、視聴番組の切換を助ける放送受信装置に関する。
【背景技術】
【０００２】
近年、地上波放送や衛星放送、ケーブル放送等の視聴は、チャンネル数の増加により、ユーザが視聴したい番組が同じ時間帯に放送される機会が多くなってきた。
【０００３】
最近では、複数個のチューナを持つ放送受信装置が開発され、１つの番組をリアルタイムで視聴し、他の番組を録画して後でダイジェスト視聴する方法や、２画面表示やＰＩＰ（Picture in picture）等のマルチ画面表示を行って複数の番組を同時に表示することにより、時間帯が同じ複数の番組を視聴することが可能になった。
【０００４】
しかしながら、録画した番組のダイジェスト視聴をする時間がない、マルチ画面表示は一つの番組に集中できず、煩わしいなどの問題点があった。
【０００５】
そこで、１つの番組（以下、表番組と記す）を視聴中に、それ以外の番組（以下、裏番組と記す）の状態を把握して、必要に応じて番組切換を行うための、いくつかの技術が提案されている。
【０００６】
例えば、特許文献１には、裏番組の画像に現れる文字情報を解析し、ユーザが入力したキーワードと画面上の文字情報が一致した場合に、裏番組と表番組を切換える技術が提案されている。
【０００７】
また、特許文献２には、番組の付加情報から番組開始時間を取得し、裏番組の開始時間になるとＰＩＰ表示したり、付加情報をテキスト表示したりする技術が提案されている。
【０００８】
【特許文献１】特開平１０−１９１１９０号公報
【特許文献２】特開２０００−２７０２７７号公報
【発明の開示】
【発明が解決しようとする課題】
【０００９】
しかしながら、前記特許文献１では、裏番組に切換えるためには予めキーワードの入力が必要であったり、特許文献２では、裏番組の内容を知るタイミングが開始時間だけであったりした。
【００１０】
また、一般的に、スポーツ中継や音楽番組等の番組においては、番組をすべて視聴しなくても、得点シーンや好きなアーティストの出演シーン等の、ユーザにとって重要度の高いシーンだけを視聴できれば満足する場合がある。
【００１１】
そこで本発明では、ユーザからの入力を必要とせずに、裏番組のシーンの重要度に応じて、ユーザに選局を促し、容易な操作で表番組、裏番組の切換を行うことができる放送受信装置を提供することを目的とする。
【００１２】
また、裏番組の情報を通知する際に、表番組の視聴を妨げることのない放送受信装置を提供することも目的の一つとする。
【課題を解決するための手段】
【００１３】
上記課題を解決するため、本発明に係る放送受信装置は、放送波を受信して複数の番組の映像および音声を、同時に再生可能な放送受信装置であって、受信した放送波から番組を選曲する複数のチューナと、前記各チューナで選局された番組を、映像情報、音声情報および付加情報に分離するために各チューナ毎に設けられたデマルチプレクサと、前記デマルチプレクサで分離された情報を、表番組と裏番組に切換える番組切換部と、前記番組切換部で表番組として選択された前記デマルチプレクサからの前記表番組の映像情報と前記音声情報とをデコードして再生制御を行う表番組再生制御部と、前記番組切換部で裏番組として選択された前記デマルチプレクサからの前記裏番組の映像情報と前記音声情報とを解析する裏番組解析部と、前記裏番組解析部で解析された前記裏番組の映像情報と前記音声情報とをデコードして再生制御を行う裏番組再生制御部と、前記表番組再生制御部と前記裏番組再生制御部によりデコードされた前記映像情報および音声情報を合成する合成処理部と、前記合成処理部で合成された映像を表示するディスプレイと、前記合成処理部で合成された音声を出力するスピーカと、を備えてなることを特徴とするものである。
【００１４】
本発明に係る放送受信装置は、複数のチューナを有し、番組を同時に選局できるものであり、複数選局した番組からユーザは表番組と裏番組を選択することが可能である。通常は、表番組を１画面で再生するが、裏番組の映像情報および音声情報からシーンの重要度を解析し、裏番組のシーン重要度が高い場合には、裏番組をマルチ画面表示または音声出力する。これにより、ユーザに裏番組が重要なシーンであることを通知し、表番組・裏番組の切換えを促すことが可能になる。
【００１５】
また、裏番組のマルチ画面表示と同時に画面上に裏番組切換を容易に行うことができるキーガイダンスを表示する機能を付加することにより、ワンタッチで表番組・裏番組の切換えを行うことが可能になる。
【００１６】
さらに、表番組の画面上の特徴を解析し、裏番組のマルチ画面の表示位置を決定する機能を付加することにより、表番組の視聴を妨げないように裏番組のマルチ画面表示を行うことが可能になる。
【発明の効果】
【００１７】
本発明によれば、ユーザが視聴したい複数の番組が同じ時間帯に重なってしまった場合にも、１つの番組を視聴中に、選局された裏番組の重要シーンが通知されるので、ユーザが見たいと思うタイミングで表番組と裏番組の切換が可能になる。
【００１８】
また、キーガイダンスが同時に表示されることにより、ワンタッチで番組の切換えが可能になる。
【００１９】
さらに、視聴中の表番組で邪魔にならない位置に裏番組のマルチ画面表示を行うことにより、表番組の視聴を妨げないで裏番組のシーンを知ることが可能になる。
【発明を実施するための最良の形態】
【００２０】
本発明に係る放送受信装置の実施の形態について、以下、添付図面を参照しながら、幾つかの実施例を用いて詳細に説明する。
【実施例１】
【００２１】
図１は、本発明に係る放送受信装置の第１実施例の構成を示すブロック図である。チューナ１−Ａ及び１−Ｂ、デマルチプレクサ２−Ａ及び２−Ｂ、番組切換部３、表番組再生制御部４、裏番組解析部５、裏番組再生制御部６、合成処理部７、ディスプレイ８、及びスピーカ９から構成される。
【００２２】
チューナ１−Ａは、図示しないアンテナから入力された放送波から、番組の選局処理を行い、デマルチプレクサ２−Ａに出力する。デマルチプレクサ２−Ａは、チューナ１−Ａが選局した番組を、字幕情報、映像・音声情報、及びＰＣＲ（プログラム・クロック・リファレンス）情報などへ分離し、番組切換部３に出力する。
【００２３】
図１では、チューナ及びデマルチプレクサは、表番組、裏番組をそれぞれ１つずつ選局するために２系統あるが、チューナおよびデマルチプレクサは、２系統以上であってもかまわない。
【００２４】
番組切換部３は、どちらのチューナで選局された番組を表番組として視聴するかを選択する。この選択はユーザによって行われるものであり、例えば、図示しないリモートコントローラ（以下、リモコンと記す）等によって選択される。
【００２５】
表番組として選択されたデマルチプレクサの出力は、表番組再生制御部４へ入力され、裏番組として選択されたデマルチプレクサの出力は、裏番組解析部５へ入力される。
【００２６】
表番組再生制御部４は、映像再生制御部４−１と音声再生制御部４−２とを備えた構成であり、映像再生制御部４−１は、番組切換部３を介して入力された表番組の映像情報のデコードを行い、合成処理部７に出力する。
【００２７】
音声再生制御部４−２は、番組切換部３を介して入力された表番組の音声情報のデコードを行い合成処理部７に出力する。
【００２８】
裏番組解析部５は、映像解析部５−１と音声解析部５−２とを備えた構成であり、映像解析部５−１は、番組切換部３を介して入力された裏番組の映像情報を解析し、重要なシーンであるか否かを判断する。
【００２９】
ここで、重要シーンであると判断できる映像情報の例としては、例えば、
・ニュース番組：  ニュースのタイトル、
・スポーツ中継：  選手の名前、試合のスコアの文字、
・音楽番組：アーティストの名前、曲の名前、アーティストが歌い始める前の暗転、拍手等、
・バラエティ番組：  コーナーの開始のタイトル、出演者の名前、などが考えられる。
【００３０】
音声解析部５−１は、番組切換部３を介して入力された裏番組の音声情報を解析し、重要なシーンであるか否かを判断する。
【００３１】
ここで、重要シーンであると判断できる音声情報の例としては、
・スポーツ中継：  観客の歓声、アナウンサーの声の大きさ、
・音楽番組：  拍手、曲のイントロ、
・バラエティ番組：  拍手、笑い声、などが考えられる。
【００３２】
映像解析部５−１および音声解析部５−２により、重要なシーンであると判断された裏番組の映像情報、および音声情報は、裏番組再生制御部６に出力される。
【００３３】
裏番組再生制御部６は、映像再生制御部６−１と音声再生制御部６−２とを備えた構成であり、映像再生制御部６−１は、裏番組解析部５が重要シーンと判断した裏番組の映像情報のデコードを行い、合成処理部７に出力する。音声再生制御部６−２は、裏番組解析部５が重要シーンと判断した裏番組の音声情報のデコードを行い、合成処理部７に出力する。このとき、裏番組解析部５により裏番組が重要シーンでないと解析された場合は、合成処理部７へは、なにも出力しない。
【００３４】
合成処理部７は、表番組再生制御部４と裏番組再生制御部６からの制御に従って、表番組と裏番組の映像および音声を合成し、ディスプレイ８およびスピーカ９に出力する。このとき、裏番組再生制御部６から入力がない場合には、表番組の映像・音声だけを出力する。裏番組再生制御部６から入力がある場合には、裏番組の映像は、表番組の映像に２画面やＰＩＰとして合成され、出力される。裏番組のＰＩＰ画面表示の例を、図２に示す。図２において、Ｄ１は表画面、Ｄ２は裏番組のＰＩＰ画面である。映像の合成は、例えば、メニュー画面などからユーザが２画面やＰＩＰなどのマルチ画面表示方法を選択できるようにしてもよい。裏番組の音声の合成に関しても、例えば、メニュー画面などから、ユーザがボリュームを選択できるようにし、必要がなければ音声は合成しなくてもかまわない。また、裏番組の合成は、例えば、先に映像を合成し、一定時間後に音声を合成する方法や、先に音声を合成し、一定時間後に映像を合成する方法でもかまわない。
【００３５】
ディスプレイ８は、合成処理部７から入力された映像を再生する。ディスプレイ８は、例えば、ＣＲＴ（Cathode Ray Tube）、プラズマディスプレイ、リアプロジェクション、フロントプロジェクション、液晶表示ディスプレイ、有機ＥＬ（Electro Luminescence）ディスプレイ、ＳＥＤ（Surface-conduction Electron-emitter Display）等のような各種ディスプレイで構成することができる。
【００３６】
スピーカ９は、合成処理部７から入力された音声を再生する。
【００３７】
裏番組のマルチ画面表示を受けて、ユーザは裏番組が重要シーンであることを知り、リモコン等で番組切換部を制御することにより、表番組、裏番組の切換を行うことが可能となる。
【００３８】
図３は、実施例１で示した放送受信装置の具体的な動作例を示したフローチャートである。このフローチャートは、番組切換処理を行う際の要部が概略的に示されており、実際のプログラムとは相違する。
【００３９】
まずステップＳ１において、放送波を受信し、チューナ１−Ａおよびデマルチプレクサ２−Ａにより選局、分離処理を行い、ステップＳ２に進む。
【００４０】
ステップＳ２において、ユーザからの入力を受け、番組切換部３によりステップＳ１で選局された複数の番組から表番組の信号を選択する。
【００４１】
ステップＳ３において、ステップＳ２で表番組として選択された場合はステップＳ４に進み、ステップＳ２で裏番組として選択された場合はステップ５に進む。
【００４２】
ステップＳ４において、表番組再生制御部４によりステップＳ３で表番組と判断された番組の再生制御を行い、合成処理部７により合成処理をした後、ディスプレイ８およびスピーカ９に出力を行う。
【００４３】
一方、ステップＳ５において、裏番組解析部５により、ステップＳ３で裏番組と判断された番組の映像解析および音声解析を行う。
【００４４】
ステップＳ６において、ステップＳ５で解析した結果が重要シーンであると判断された場合は、ステップＳ７に進む。重要シーンであると判断されなかった場合には、何もしない。
【００４５】
ステップＳ７において、裏番組再生制御部６により、ステップＳ６で重要シーンと判断された裏番組の再生制御を行い、合成処理部７により合成処理をした後、ディスプレイ８およびスピーカ９に出力を行う。
【００４６】
ステップＳ８において、ユーザからの入力がある場合には番組切換部３により表番組を選択する。
【００４７】
以降、番組選択と表番組／裏番組の切換は、繰り返して行うことが可能である。
【実施例２】
【００４８】
図４は、本発明に係る放送受信装置の第２実施例の構成を示すブロック図である。本実施例では、実施例１で示した放送受信装置の裏番組再生制御部６に、リモコンガイド制御部６−３を付加することにより、裏番組切換を容易に行えるようにした。
【００４９】
リモコンガイド制御部６−３は、裏番組のＰＩＰ表示Ｄ２と同時に、リモコン操作のガイド画面Ｄ３を、ディスプレイに表示するよう制御を行う。リモコンガイド画面の内容は、例えば、ＰＩＰ表示された番組に切換えたり、ＰＩＰを消去したりするために、押下するリモコンボタンである。リモコンガイド画面Ｄ３で示したリモコンボタンが押下されると、番組切換部３と裏番組再生制御部６に通知され、表番組の切換やマルチ画面の消去が行われる。
【００５０】
リモコンガイドの表示例を図５に示す。図５では、番組切換をＯＫボタン、マルチ画面消去を戻るボタンとしたが、矢印ボタンや色ボタンを利用したり、リモコンに専用ボタンをもたせたりすることも可能である。
【００５１】
さらに、放送受信装置に記録媒体が内蔵されている場合、もしくは録画機器が接続されている場合には、リモコンガイド画面に録画操作を指示するボタンを追加することも可能である。
【００５２】
このようなリモコンガイド画面を表示することにより、ユーザは簡単なボタン操作で以下の制御を行うことが可能になる。
・マルチ画面表示された裏番組のシーンが視聴中の表番組より興味があった場合は、表番組と裏番組を切換る。
・マルチ画面表示された裏番組のシーンに興味がなかった場合は、ＰＩＰ画面表示を消去する。
・マルチ画面表示された裏番組のシーンに興味はあるが、表番組の視聴を中断したくない場合は、録画して後で見る。
【実施例３】
【００５３】
図６は、本発明に係る放送受信装置の第３実施例の構成を示すブロック図である。本実施例は、実施例１で示した放送受信装置に、表番組解析部１０を付加した構成である。表番組解析部１０は、表番組の映像を解析して表番組の視聴を妨げない裏番組のマルチ画面表示位置を決定し、この位置情報を合成処理部７に送信する。これにより、合成処理部７において、画面上の表番組の視聴に支障をきたさない部分に裏番組のマルチ画面を合成して表示することが可能になる。表番組の視聴に支障をきたさない部分とは、例えば、文字が書かれていない部分や動きが少ない部分である。表番組のマルチ画面表示の代わりに、例えば、アイコンで通知する方法も考えられる。
【図面の簡単な説明】
【００５４】
【図１】本発明に係る放送受信装置の実施例１の構成を示すブロック図。
【図２】実施例１の放送受信装置における裏番組のＰＩＰ画面表示例を示す図。
【図３】実施例１の放送受信装置の番組切換処理を示すフローチャート。
【図４】本発明に係る放送受信装置の実施例２構成を示すブロック図。
【図５】実施例２放送受信装置のリモコンガイド表示例を示す図。
【図６】本発明に係る放送受信装置の実施例３の構成を示すブロック図。
【符号の説明】
【００５５】
１−Ａ，１−Ｂ…チューナ、２−Ａ，２−Ｂ…デマルチプレクサ、３…番組切換部、４…表番組再生制御部、４−１，４−２…映像再生制御部、５…裏番組解析部、５−１…映像解析部、５−２…音声解析部、６…裏番組再生制御部、６−１…映像再生制御部、６−２…音声再生制御部、６−３…リモコンガイド制御部、７…合成処理部、８…ディスプレイ、９…スピーカ、１０…表番組解析部、Ｄ１…画面、Ｄ２…裏番組ＰＩＰ、Ｄ３…リモコンガイド。
【図１】
2008124881.tif 000003
【図２】
2008124881.tif 000004
【図３】
2008124881.tif 000005
【図４】
2008124881.tif 000006
【図５】
2008124881.tif 000007
【図６】
2008124881.tif 000008